Podtech/llm-jp-corpus-v4-ja_patent huggingface dataset:
(57)【要約】      （修正有）【課題】簡易な方法で軸汚れを防止する液体化粧料容器を提供する。【解決手段】中栓容器口部に嵌入する当該中栓の嵌入先端部内側にシゴキ部２を設け、更に二つ目のシゴキ部が中栓１の両端より１／３よりも中央部の内側に設けることで軸４に付着した充填物を効率的且つ充分に払拭することが出来、軸汚れを防止することが可能となる。【選択図】図４
2007082930.tif 000002
【特許請求の範囲】
【請求項１】
本体、中栓、キャップの３パーツより構成されている液体化粧料容器において、中栓の内側にシゴキ部を２箇所以上設けたことを特徴とする中栓。
【請求項２】
中栓に設けたシゴキ部の一つが容器に嵌合される最深部に位置し、二つ目のシゴキ部が中栓の両端より１／３よりも中央部に位置することを特徴とする請求項１記載の中栓。
【発明の詳細な説明】
【技術分野】
【０００１】
本発明は、容器の中栓関し、詳しくは、軸汚れを防止する機能を有した液体化粧料容器に用いられる中栓に関する。
【背景技術】
【０００２】
従来から、リキッドファンデーション、マスカラ、アイライナー、リップライナー、グロスなどの液状又は乳液状をした充填物を充填する化粧料容器は、大部分は容器本体、中栓、キャップの３パーツより構成されている。キャップには充填物を塗布する為に先端部に筆やブラシが装着されている。そして、商品を使用する際、ブラシ等に付着した余剰分の充填物を中栓に設けられたシゴキ部で払拭するようにしたものが一般的に用いられている。
【０００３】
しかし、一般に用いられている中栓は、シゴキ部を本体に嵌合する最先端部に設けられているため、商品を使用していと、何度も軸を抜き差しすると、その抜き差しする角度により充填物を充分に払拭することが出来ずに軸に充填物が多量に付着した状態を生じるという問題が発生していた。
【０００４】
また、上記のように充填物が軸に付着することを防止する試みがなされているが、資材の数が増えコストが上昇したり、付着した充填物の払拭が不十分であるという問題が依然として存在している。
【特許文献１】特開平１０−２３９２１号公報
【特許文献２】特開平１０−１７９２４１号公報
【特許文献３】特開２００２−３２５６２７号公報
【発明の開示】
【発明が解決しようとする課題】
【０００５】
上記のような軸汚れを防止する液体化粧料容器にあっては、軸上にリングを取り付けるため資材点数が増加しコストが上昇したり、軸に掻落部を設ける等設計が複雑になる等の問題が発生するという問題点があった。
【０００６】
そこで、本発明では、簡易な方法で軸汚れを防止する液体化粧料容器の提供を課題とする。
【課題を解決するための手段】
【０００７】
本発明者は、上記問題点を解決する為、中栓の形状に着目し鋭意研究した結果、中栓にシゴキ部を２箇所以上設けることにより軸に付着した充填物を効果的に払拭するが可能となり、本発明の完成に至った。
【０００８】
即ち、本発明は、中栓容器口部に嵌入する当該中栓の嵌入先端部内側にシゴキ部を設け、更に二つ目のシゴキ部が中栓の両端より１／３よりも中央部の内側に設けることで軸に付着した充填物を効率的且つ充分に払拭することが出来、軸汚れを防止することが可能となる。
【発明の効果】
【０００９】
リキッドファンデーション、マスカラ、アイライナー、リップライナー、グロス等の液体化粧料である充填物を本発明の容器に充填した場合は、使用途中に軸に充填物である化粧料が付着し汚れることがないため、安心して思い通りのメークが手軽に楽しめる。
【発明を実施するための最良の形態】
【００１０】
本発明の中栓を嵌入した液体化粧料容器は、マスカラやアイライナーのメーキャップ化粧料として最適である。
【００１１】
本発明に用いることができる中栓のシゴキ部の形状及び設ける場所及び材質は、発明の効果を有する範囲においては特に制限はされないが、形状に関しては、軸形状と相似形が好ましい。また、大きさに関しては、中栓の材質にもよるが、一般に用いられている中栓と軸の同様に、軸の直径と同程度又は若干小さい程度が好ましく、軸径よりも細くなり過ぎるとシゴキ部と軸の摩擦が大きくなり、使用性が損なわれる。そして、シゴキ部を設ける場所は、一つ目が容器に嵌合される最深部内側に位置し、二つ目のシゴキ部が中栓の両端より１／３よりも中央部の内側に位置することが好ましく、２つのシゴキ部の距離が中栓の１／３の長さより長い方が好ましい。また、中栓の材質は、成形可能な材質が好ましく、シリコーンゴム及びＮＢＲ（アクリロニトリル・ブタジエンゴム）が特に好ましい。
【実施例１】
【００１２】
図１は、従来の中栓の断面を表した図。図２は、本発明の中栓の断面を表した図。図３は、本発明の中栓を容器に嵌入し軸付キャップを挿入した状態の断面を表した図。図４は、本発明の中栓のシゴキ部が軸をシゴク状態を表した図。図５は、本発明の中栓の平面図。
【００１３】
一般に用いられている中栓の構造は図1に示すとおり、シゴキ部が最先端部に１箇所のみ設けられているため、使用を繰り返すと、軸を抜き差しする角度によりシゴキ部が充分に作用せず軸に付着した充填物が残った状態になり、軸汚れが発生する原因となっていた。そこで、本発明の中栓は、図２及び図３に示すとおり、容器口部に嵌入する当該中栓の嵌入先端部内側にシゴキ部を設け、更に二つ目のシゴキ部が中栓の両端より１／３よりも中央部の内側に設けた構造を有すことで、使用に際して軸を抜き差しする角度が変化しても、中栓先端部に設けた一つ目のシゴキ部で払拭できなかった軸に付着した充填物を中栓中央部に設けた二つ目のシゴキ部が払拭するため、軸に付着した充填物が完全に払拭でき、軸汚れを防ぐことを可能としている。
【００１４】
本発明の中栓は、中栓内にシゴキ部を設けているため、一体の成型が可能であり、資材点数を増やすことなく提供が可能である。そして、成型に際しても、同心円状のシゴキ部形状と一つ目のシゴキ部と二つ目のシゴキ部の間隔と該間隔の中栓形状を自由に選択することが可能なため、生産コストの上昇が見られない。
【００１５】
また、本発明の中栓は１ｂに示す顎部を設けることも可能で、充填物に粘性等を有した場合であっても、商品の使用途中に中栓がシゴキ行為により容器本体から抜け出し外れることを防止することも可能である。
【産業上の利用可能性】
【００１６】
本発明は、マスカラ、アイライナー、リップライナー、グロスなどの充填物の液状化粧料容器に広く応用が可能である。
【図面の簡単な説明】
【００１７】
【図１】従来の中栓の断面を示した説明図。
【００１８】
【図２】本発明の中栓の断面を表した説明図。
【００１９】
【図３】本発明の中栓を容器に嵌入し軸付キャップを挿入した状態の断面を表した図示した説明図。
【００２０】
【図４】本発明の中栓のシゴキ部が軸をシゴク状態を表した説明図。
【００２１】
【図５】本発明の中栓の平面図。
【符号の説明】
【００２２】
１          中栓
１ａ        鍔部
１ｂ        顎部
２          シゴキ部
３          容器本体
４          軸
【図１】
2007082930.tif 000003
【図２】
2007082930.tif 000004
【図３】
2007082930.tif 000005
【図５】
2007082930.tif 000006
【図４】
2007082930.tif 000007
(57)【要約】      （修正有）【課題】運動の規則性だけでなく，速度やなめらかさ等の評価を可能とする．また，運動経路やその収束性および咬頭嵌合位との位置関係を詳細に把握し，咬合状態の診断および早期接触の検出を可能とする．下顎全体の運動のバラツキも表示可能とする。【解決手段】下顎の運動データを入力する入力手段と、入力された下顎の運動のなかで上顎に対する下顎の回転量を抽出する手段と、X,Y,Z軸の回転量のバラツキを計算する手段と、結果を表示する表示手段を有するプログラムを提供する。【選択図】図１
2007082912.tif 000002
【特許請求の範囲】
【請求項１】
患者の咬合状態に関する診断情報を術者に与えるプログラムにおいて、下顎の運動データを入力する入力手段と、入力された下顎の運動のなかで上顎に対する下顎の回転量を抽出する手段と、X,Y,Z軸の回転量のバラツキを計算する手段と、結果を表示する表示手段を有するプログラム。
【発明の詳細な説明】
【技術分野】
【０００１】
本発明は患者の咬合状態に関する診断情報を術者に与えるプログラムに関する。
【背景技術】
【０００２】
咬合とは、閉口したときに上下顎の歯が接触する動作、さらには上下顎の歯の接触、またはその接触関係をいい、また、咬合の研究は咬合にかかわる異常や疾患の予防、診断、治療・再建、審美的回復などに応用することを目的として行われている。咬合接触様式は滑走運動に直接影響を与えるが、顎機能制御系を介して歯の接触のない開口時の顎運動にも影響を与えるので、下顎運動から咬合状態を推定することが可能であり、咬合を診査する目的で顎運動測定器が開発された。
【０００３】
顎運動測定装置とは、上顎と下顎の相対的な運動である下顎運動を測定及び／又は観察する装置で、開口量だけを測定する１自由度測定、ゴシックアーチ描記法のように平面内の１点の運動を測定する２自由度測定、生体に取り付けた１個の標点の３次元位置を測定する３自由度測定、２個の標点の３次元位置を測定する５自由度測定、上顎に対する下顎の相対運動としてＸ、Ｙ、Ｚ、Θｘ、Θｙ、Θｚを算出する６自由度測定がある。特に高次元の顎運動測定装置としては、Ｘ、Ｙ、Ｚの３要素で表される３次元測定装置とＸ、Ｙ、Ｚ、Θｘ、Θｙ、Θｚの６要素で表される顎運動測定装置がある。
【０００４】
下顎の角度は、６要素で表される６自由度の顎運動測定器の場合、被験者となる患者の前方をＸ+方向、左をＹ＋方向、上をＺ＋方向の右手系の直交座標系で測定エリア内の上顎座標系の位置と方向または角度を算出する。次に下顎も上顎同様に右手系の直交座標系で測定器座標系の下顎座標系の位置と方向または角度を算出する。下顎運動とは上顎に対する下顎の相対運動として表されるのが一般的であるため、上顎座標系のＸＹ平面の法線いわゆるＺ軸と下顎座標系のＺ軸を測定器座標系のＹＺ平面に投影して双方のＺ軸の角度を算出しθｘとし、次にＸＺ平面に投影して双方のＺ軸の角度を算出しθｙ、測定器座標系のＹＺ平面に投影して双方のＸ軸の角度を算出しθｚとする。
【０００５】
６自由度の顎運動測定装置では、基準とした上顎に対する歯列、顆頭を含む下顎全体の相対的な運動を測定できることから定まった診断情報を術者に与えることができるのではと期待され、大学などの研究機関で様々な研究が行われ、顎運動の解析方法の中でも特にタッピング運動の棄却楕円・近似曲線等を用いた評価法が考案された。
上記の評価を行うために，患者にタッピング運動を行わせ、そのときの運動をX,Y,Zの値を出力する３自由度の顎運動測定器またはX,Y,Z,θx,θy,θzの値を出力する６自由度の顎運動測定器で測定する。
【０００６】
タッピング運動中の、咬頭嵌合位から各測定点の高さすなわちＺ座標から、グループに分割して、各グループのX,Y方向のバラツキを棄却楕円で計算する。その結果，運動の規則性だけでなく，速度やなめらかさ等の評価を可能とする。また，そのグループ内の中央値または平均値を算出し，その点を近似曲線で結ぶことによって，個々の患者の代表的なタッピング経路として評価する．さらに，咬頭嵌合位とタッピングポイントの位置関係やタッピングポイントのばらつきを，健常有歯顎者の標準値である0.8mmを基準とし評価を行い，咬合状態を分類・診断を行う。（鶴見歯学発表）
【非特許文献１】鶴見歯学  29（２）：１９３−１９９（２００３）
【発明の開示】
【発明が解決しようとする課題】
【０００７】
前述した評価方法では、切歯点でのバラツキを表示しているが、下顎全体の運動のバラツキを表示することができない。
【課題を解決するための手段】
【０００８】
本発明は、下顎の運動データを入力する入力手段と、入力された下顎の運動のなかで上顎に対する下顎の回転量を抽出する手段と、X,Y,Z軸の回転量のバラツキを計算する手段と、結果を表示する表示手段を有するプログラムを提供することを目的とする。
【発明の効果】
【０００９】
本発明によれば、運動の規則性だけでなく，速度やなめらかさ等の評価を可能とする．また，運動経路やその収束性および咬頭嵌合位との位置関係を詳細に把握し，咬合状態の診断および早期接触の検出を可能とする。
【発明を実施するための最良の形態】
【００１０】
下顎運動の測定は、下顎を上下的に小開閉口するタッピング運動を測定し、この運動を被験運動とする。仮に被験者の前方をX軸＋方向、左方向をY軸＋方向、上方向をZ軸＋方向とする右手系に座標系を設定した顎運動を測定する装置を利用した場合、タッピング運動は単純な小開閉口運動であるため、Y軸の回転量であるθyは大きく変位するが、これ以外に早期接触など咬合に異常が認められる患者の場合、X軸の回転量であるθxまたはZ軸の回転量であるθzが大きくばらつく。
下顎の運動データを入力する入力手段とは、下顎の運動データを入力できればなんでもよいが、好ましくは下顎の運動をX,Y,Z軸の回転量を測定可能なセンサであり、さらに好ましいのは、下顎の運動を６自由度で測定し、Ｘ、Ｙ、Ｚ、θx、θy、θzを出力する顎運動測定器である。また、下顎の運動データは、顎運動測定器で測定された顎運動データを記憶装置で記憶し、入力してもよい。
X,Y,Z軸の回転量のバラツキを計算する手段とは、下顎の運動データのバラツキを計算するものであり、好ましいのはθx、θy、θzのそれぞれの平均値と最大値および最小値を計算するものであり、さらに好ましいのはθx、θy、θzのそれぞれの平均値、最大値、最小値、標準偏差を計算するものである。
結果を表示する表示手段とは、前述の計算結果を表示できるものであれば何でもよいが、好ましくは計算結果を数値表示するもので、さらに好ましいのは、数値表示の他に下顎の運動経路の表示と平均値を中心に2次元的に標準偏差の大きさを線表示するものである
データの抽出は、顎運動データの中からθx、θy、θzを抽出し、平均値、最大値、最小値および標準偏差を計算する。
【図面の簡単な説明】
【００１１】
【図１】患者の咬合状態に関する診断情報を術者に与えるプログラムのブロック図
【図１】
2007082912.tif 000003
(57)【要約】【課題】従来の携帯靴の用途は主に室内用であり、靴の長さを調整する機能を備えていなかったため、屋外用或いは応急用の靴としては十分に機能するものではなかった。本発明は、靴の長さが調整できる屋外用の携帯靴を提供する。【解決手段】靴底部の中足部は、前後方向に傾斜を施した分割断面を設け、分割断面の上面と下面を合わせた状態で前後にスライドできる構造とする。靴上部の中足部は、前後方向に伸縮性のある一体成形の構造とする。その上で、中足部を除いて靴底部と靴上部を固着させる。これにより携帯時には、靴底部が分割されているため、容易に折り畳むことができる。使用時には、靴底部及び靴上部とも一定の範囲内で前後方向に伸縮させた上で固着できるため、長さ調整可能な靴として使用することができる。【選択図】図１
2007082992.tif 000002
【特許請求の範囲】
【請求項１】
中足部に前後方向に傾斜のある分割断面を設けた靴底部と、一体成形した靴上部を、中足部を除き上下固着して、使用時には分割断面を固着させてなる携帯用伸縮靴。
【請求項２】
前後方向にスライド幅を設けた請求項１記載の靴底部の分割断面と、前後方向に伸縮性のある素材を使用した請求項１記載の一体成形の靴上部からなる携帯用伸縮靴。
【発明の詳細な説明】
【技術分野】
【０００１】  本発明は、災害時若しくは旅行時等における長さ調整できる携帯用の靴に関する。
【背景技術】
【０００２】  従来の折畳み靴或いは携帯用靴は、主に室内靴の携帯を目的としており、屋外における使用を考慮した構造ではない（例えば、特許文献１参照。）。【０００３】  また、従来の伸縮自在靴或いはサイズ可変靴は、主に発育に伴う足の大きさの変化に対する適合を目的としており、携帯性を考慮した構造ではない（例えば、特許文献２参照。）。
【特許文献１】特許公開平５−２１１９０１
【特許文献２】特許公開平１１−１８８０３
【発明の開示】
【発明が解決しようとする課題】
【０００４】  以上に述べた従来の靴では、何れの靴も、靴の長さが調整できる、屋外でも利用できる、携帯できる、の３つの特長を全て満たしてはいない。【０００５】  本発明は、これらの特長を簡単な仕組みで、全て兼ね備えた靴を実現することを目的とするものである。
【課題を解決するための手段】
【０００６】  本発明は上記目的を達成するために、第１の課題解決手段として、靴底部は、中足部で前底部と後底部に分割し、分割断面には靴の前部から後部方向に下り傾斜を設ける。分割断面の上面と下面は、粘着剤、接着剤、両面テープ、面ファスナ、凹凸の接合等で固着できる構造とする。衝撃緩衝層、中敷、及び布部等で構成される靴上部は、一体成形の構造とする。【０００７】  中足部で分割した靴底部の前底部及び後底部と一体成形した靴上部は、中足部を除いて上下固着させる。【０００８】  また、第２の課題解決手段として、第１の課題解決手段として設定した靴底部の中足部にある分割断面は、分割断面の上面と下面を前後方向にスライドできる構造とする。靴上部の中足部若しくは全部は、前後方向に伸縮性のある素材を設定する。【０００９】  上記第１の課題解決手段による作用は、靴底部の前底部と後底部が分割されているため、携帯時はコンパクトに折り畳みできることである。さらに、靴上部と靴底部の前底部及び後底部はそれぞれ固着されているため、携帯時は構成部材が遊離することなく容易に収納できることである。【００１０】  また、上記第２の課題解決手段による作用は、靴底部の中足部にある分割断面が前後方向にスライドでき、且つ靴上部の中足部にある靴底部に固着されていない部位も前後方向に伸縮できるため、足の長さの調整が一定の範囲内でできることである。
【発明の効果】
【００１１】  上述したように本発明の靴は、例えば大規模地震の発生時に、自宅外において履いていた靴が破損した、或いはハイヒール等の長時間の歩行に適さない靴を履いていた際の代用品として、常時携帯できる靴としての特長を備えている。【００１２】  また、万一携帯した靴を他者に譲った場合においても、ある程度靴の長さを合わせる特長を兼ね備えている。【００１３】  上記の特長は、靴を容易に入手出来ない地域への旅行や諸活動の際の代用靴としても、活用することができる。
【発明を実施するための最良の形態】
【００１４】  以下、本発明の実施の形態を図に基づいて説明する。【００１５】  本発明の構成を図１に基づいて説明する。１は靴上部を指し、一体成形された衝撃緩衝層、中敷、及び布部で構成している。２は靴底部の前底部、３は靴底部の後底部を指す。４は靴上部の中足部で、靴底部と固着されていない部位を指し、少なくとも中足部は前後方向に伸縮性のある素材で構成している。【００１６】  ５は前底部の分割断面下面を指し、粘着剤、接着剤の塗布面、若しくは両面テープ、面ファスナ、凹凸の組合せ等で固着させる場合の片側の面となっている。６は後底部の分割断面上面を指し、両面テープ、面ファスナ、凹凸の組合せ等で固着させる場合の受け側の面となっている。固着方法として、面ファスナ等の着脱可能の素材を使用した場合は、使用後に再度折り畳み、携帯することが可能である。【００１７】  本発明は以上の構成からなるので、本発明の使用法を図に基づいて説明する。図２は、携帯する時の形状を示す。【００１８】  図３は、５と６を固着させる前の形状を示す。靴を使用する場合は、先ずこの状態で靴を試着し、最適な靴の長さを確認する。次に最適な靴の長さになる５と６のスライド位置で、５と６を固着させて使用する。【００１９】  図１は、最も靴の長さが短い状態で固着させた状態を表す。図４は、靴の長さを伸ばすために、５を前方向、６を後方向にスライドさせて５と６を固着させた状態を表す。
【図面の簡単な説明】
【００２０】
【図１】  本発明の固着時の実施形態を示す側面図
【図２】  本発明の携帯時の実施形態を示す側面図
【図３】  本発明の固着前の実施形態を示す側面図
【図４】  本発明の伸長時の実施形態を示す側面図
【符号の説明】
【００２１】１  一体成形の靴上部
２  靴底部の前底部
３  靴底部の後底部
４  靴上部の伸縮部
５  前底部の分割断面下面
６  後底部の分割断面上面
【図１】
2007082992.tif 000003
【図２】
2007082992.tif 000004
【図３】
2007082992.tif 000005
【図４】
2007082992.tif 000006
(57)【要約】【課題】母親が横になって授乳する際に、腕の疲労を緩和する授乳用枕を提供する。【解決手段】母親が授乳時に腕の疲労を和らげるための枕であって、全体は斜辺部（１）を有する板状の台座（頭部台座（２）、基礎台座（３））を一対、上下に平行になるように適当な間隔をもって配し、該各台座間に支柱（４）を単数、または複数立設した構造で、前記台座中、頭部台座（２）の上辺部（６）付近は端部に向かう程、低くなるように傾斜させて形成し、また、当該傾斜部位を首乗せ部（５）とし、かつ、頭部台座（２）の上には、クッション部（７）を設けたことを特徴とする、授乳用枕。【選択図】図１
2007083000.tif 000002
【特許請求の範囲】
【請求項１】
斜辺部を有する板状の台座を一対設け、上下に平行になるように適当な間隔をもって配し、該各台座間に支柱を単数、または複数立設し、前記台座中、上側台座の短辺部付近は端部に向かう程、低くなるように傾斜させて形成し、かつ、上側台座の上には、クッションを設けたことを特徴とする、授乳用枕。
【発明の詳細な説明】
【技術分野】
【０００１】  本発明は母親が横になって授乳する際に、腕の疲労を緩和する授乳用枕に関するものである。
【背景技術】
【０００２】  母親が横になって授乳することに特化した枕は見当たらない。
【発明の開示】
【発明の解決しようとする課題】
【０００３】  そのために、次のような問題点があった。
（イ）母親が横になって授乳する際は、右腕または左腕を下方向にして横になり、自らの頭部と腕で三角形の形をつくり、頭部を支え、授乳する体位、または自らの腕を枕にして授乳する体位となるが、長時間の場合に首や腕が疲労しやすい。
（ロ）枕を使用して授乳する場合は、枕１つでは低く、枕を重ね授乳することもあるが、安定性が悪く、下方向の腕が枕と重なり腕の置き場がない。
本発明はこれらの問題点を解決するためになされたものである。
【課題を解決するための手段】
【０００４】  斜辺部を有する板状の台座を一対設け、上下に平行になるように適当な間隔をもって配し、該各台座間に支柱を単数、または複数立設し、前記台座中、上側台座の短辺部付近は端部に向かう程、低くなるように傾斜させて形成し、かつ、上側台座の上には、クッションを設ける。以上を特徴とする授乳用枕である。
【発明の効果】
【０００５】  母親が横になって授乳する際に、右腕または左腕を下方向にして横になり、自らの頭部と腕で三角形の形をつくり、頭部を支え、授乳する体位や、自らの腕を枕にして頭部を支え授乳する体位をつくることなく、頭部や体が安定した状態で授乳することができ、長時間の授乳でも首や腕の疲労が緩和される。一対の台座に斜辺部が形成されるため、母親の下側の腕が支柱に当たることなく、台座の斜辺部に沿って腕を置くことができ、授乳できる。また、母親がうたた寝した場合に乳児側やその逆側にもたれかかることがない。
【発明を実施するための最良の形態】
【０００６】  以下、本発明の実施の形態について説明する。
斜辺部（１）を有する板状の台座（頭部台座（２）、基礎台座（３））を一対、上下に平行になるように適当な間隔をもって配し、該各台座間に複数の支柱（４）を立設し、頭部台座（２）の首乗せ部（５）は、上辺部（６）の端部に向かう程、低くなるように傾斜させて形成し、頭部台座（２）の上には、にクッション部（７）を設ける。なお、前記斜辺部（１）は、各台座の短辺方向（正面）から見て、逆ハの字型となることが望ましい。
本発明は  以上のような構成で、これを使用するときは、台座の上辺部（６）側が首方向、台座の底辺部（８）側が頭頂方向となるようにして、クッション部（７）に頭部を乗せ、右腕または左腕を下方向にして横になり、その腕を頭頂方向に挙げた体位で授乳する。授乳の際に、母親の腕が支柱と重ならずに、台座の斜辺部（１）に沿って腕を置くことができる。頭部台座（２）の首乗せ部（５）に傾斜が設けられているため、首を圧迫せずに頭部台座（２）に頭を乗せることができ、頭部と体が安定した体位で授乳できる。母親がうたた寝した場合に、乳児側やその逆側にもたれかかることがない。また、全体が左右対称であるため、母親が右向き、左向きのどちらの方向に横になっても授乳できる。
また、本発明の他の実施例として、図４に示すように、斜辺部（１）を有する板状の台座（頭部台座（２）、基礎台座（３））を一対、上下に平行になるように適当な間隔をもって配し、該各台座間に単数の支柱（４）を立設し、頭部台座（２）の首乗せ部（５）は、上辺部（６）の端部に向かう程、低くなるように傾斜させて形成し、頭部台座（２）の上には、にクッション部（７）を設ける。この場合は、支柱（４）が単数であるため、図５に示すように、頭部台座（２）を支える上部支柱（９）と、基礎台座（３）を支える下部支柱（１０）が、上下にスライドできるように組み合わせ、スライドの固定を手動で可能とする固定操作部（１１）を設け、高さ調整可能な構造としてもよい。
【図面の簡単な説明】
【０００７】
【図１】本発明の斜視図
【図２】本発明の使用状態を示す斜視図（左向き）
【図３】本発明の使用状態を示す斜視図（右向き）
【図４】本発明の他の実施例を示す斜視図
【図５】本発明の他の実施例を示す部分斜視図
【符号の説明】
【０００８】    １  斜辺部
２  頭部台座
３  基礎台座
４  支柱
５  首乗せ部
６  上辺部
７  クッション部
８  底辺部
９  上部支柱
１０  下部支柱
１１  固定操作部
【図１】
2007083000.tif 000003
【図２】
2007083000.tif 000004
【図３】
2007083000.tif 000005
【図４】
2007083000.tif 000006
【図５】
2007083000.tif 000007
(57)【要約】【課題】長時間のデスクワーク時の同一姿勢から来る疲れを軽減することを目的とする。椅子に座った状態で、作業を中断することなく手軽に、足踏み運動及び下半身の筋肉トレーニングができるようにする。【解決手段】履物のかかと部分を履物本体１と底敷き６に分離し、間にバネ５を装着することで、椅子に座った状態で、踵を床に押し下げようとすると、バネ５に負荷が掛かり多くの力が必要である。又、足の力を緩めるとバネ５が、元の位置に戻るので効率良く足踏みをすることが出来る。あるいは、両足をそろえ、つま先と腰を固定して踵に力を入れると足全体と腰にも力が入りストレッチにもなる。そして、バネ５の強さを変える事で、踵の床を押す力が変わることから、体力にあった運動強度を選ぶ事も可能である。以上のことから、椅子に座っている状態で、この履物を履くことで、効率良く楽に足踏み体操ができるように工夫した。【選択図】  図１
2007082997.tif 000002
【特許請求の範囲】
【請求項１】
履物（靴、スリッパ、サンダル等）に、履物（靴、スリッパ、サンダル等）の踵部を履物本体と底敷き部分に分離し、間に伸縮性のある材料（ばね、スポンジ）を取付け、伸縮性を利用し、椅子に座った状態で、足踏み運動及び下半身の筋肉トレーニングができる機能を装着した事。
【請求項２】
伸縮性のある材料（ばね、スポンジ）の強度を変える事で、踵が床を押す力が変わることから、体力にあった運動強度を選ぶ事も可能である事。
【発明の詳細な説明】
【技術分野】
【０００１】本発明は、長時間のデスクワーク時の同一姿勢から来る疲れを軽減することを目的とする履物である。椅子に座った状態で、作業に負担なく手軽に体を動かすことを可能にするため、履物（靴、スリッパ、サンダル等）の踵部を履物本体と底板に分離し、間に伸縮性のある材料（バネ）を装着し、足踏み運動及び下半身の筋肉トレーニングができる機能を装着したものである。
【背景技術】
【０００２】従来は、椅子に座った状態で、運動機能のついた履物はなかった。【０００３】
【特許文献１】登録実用新案第３０２４９２６号公報
【発明の開示】
【発明が解決しようとする課題】
【０００４】長時間のデスクワークは、同一姿勢を維持し続ける事から、血流が悪くなりがちである。それゆえ、腰痛・肩こり，又、足のむくみ等が発生することがある。これらの疲労感は作業効率に影響するばかりではなく、作業終了したからといって、すぐには改善するとは限らない。本発明は、この課題を解消するためになされたものである。
【課題を解決するための手段】
【０００５】履物本体１，２，３，１２の踵部分と底敷き６．８及び踵底敷き９にバネ５，１３を装着することで、椅子に座った状態で、踵を床に押し下げようとすると、バネ５，１３に負荷が掛かり多くの力が必要である。そして、足の力を緩めることでバネ５，１３が、元の位置に戻るので効率良く足踏みをすることが出来る。又、両足をそろえ、つま先と腰を固定して踵に力を入れると、足全体と腰にも力が入りストレッチにもなる。又、バネ５，１３の強さを変える事で、踵が床を押す力が変わることから、体力にあった運動強度を選ぶ事も可能である。
以上のことから、椅子に座っている状態で、この履物を履くことで、作業を中断することなく、効率良く楽に足踏み体操ができるように工夫した。
【発明の効果】
【０００６】長時間のデスクワーク時に於いて作業に負担なく、特別に意識をせずとも、手軽に、時間を割くことなく楽に足踏み運動、ストレッチが出来る。この動作を行うことで、疲労感を軽減できるようにした。
以下、本発明の実施の形態について説明する。
（イ）．履物（靴、スリッパ、サンダル等）の踵部を履物本体１、２、３と底敷き６、踵底敷き９に分離し、内側にストッパー４を固定させるすき間１０を空ける。すき間１０にストッパー４を装着する。そして、ストッパー４の爪部分でバネ５を固定。又ストッパー４の本体部分がバネの受け皿（バネ装着面１１）となる。
（ロ）．履物本体１２と底敷き８の間にバネ１３をはさみバネ１３を固定接着する。
（イ）（ロ）共に踵部分にバネを取付けるということで同様の効果が発生する
【図面の簡単な説明】
【０００７】
【図１】本発明の完成図である。
【図２】本発明の完成図である。
【図３】本発明の完成図である。
【図４】本発明の完成図である。
【図５】本発明の完成図である。
【図６】図５のバネ１３の形状である。
【図７】図１  Ａ部の拡大断面図である
【図８】ストッパー４の詳細図である
【符号の説明】
【０００８】  １  履物本体（バネ５  装着時）
２  履物本体（バネ５  装着時）
３  履物本体（バネ５  装着時）
４  ストッパー
５  バネ
６  底敷き
７  底敷き
８  底敷き
９  踵底敷き
１０  すき間
１１  バネ装着面
１２  履物本体（バネ１３  装着時）
１３  バネ
【図１】
2007082997.tif 000003
【図２】
2007082997.tif 000004
【図３】
2007082997.tif 000005
【図４】
2007082997.tif 000006
【図５】
2007082997.tif 000007
【図６】
2007082997.tif 000008
【図７】
2007082997.tif 000009
【図８】
2007082997.tif 000010
(57)【要約】【課題】ワゴンサービスでは、ターゲットとなる遊技者の範囲が狭いのである。従来の遊技場におけるワゴンサービスは単価が高く、特に若者を中心にワゴンサービスを使わずに自動販売機で飲料を購入するケースが多いのである。遊技台の離席時間が長くなり、遊技機の稼働率が低下してしまうことを防止する。【解決の手段】ドリンクバーサービスにより、飲料を飲み放題で提供することで遊技客が飲料１杯の単価が安くなり、幅広い層の利用が見込める。遊技台からの離席が少なくなり、遊技機の稼働率が向上します。さらに遊技時間の延長、他店との差別化による顧客の増加に繋がり、遊技場の売上向上に繋がるものである。【選択図】図１
2007082994.tif 000002
【特許請求の範囲】
【請求項１】
遊技場内における、遊技客に対してスタッフがメニュー表を持ち遊技場内を巡回してドリンク、フードの注文をとるシステム。
【請求項２】
請求項１記載の遊技客でドリンクバーを注文した遊技客はドリンクを飲み放題となるシステム。
【請求項３】
スタッフは、遊技場内を巡回して注文をとった後、ブースに戻りドリンクをコップに注ぎ、遊技客の所に持っていくシステム。
【請求項４】
請求項３で注ぐドリンクは、ドリンクディスペンサーシステムを使用したものとする。
【請求項５】
遊技場内における、フードに関しては調理済みのフードを提供するシステム。
【請求項６】
請求項１〜５までの流れをスタッフが定期的に繰り返すシステム。
【発明の詳細な説明】
【技術分野】
【０００１】  本発明は、遊技場の売上向上するための飲み放題のワゴンサービスに関する。
【背景技術】
【０００２】  従来の遊技場におけるワゴンサービスは単価が高く、特に若者を中心にワゴンサービスを使わずに自動販売機で飲料を購入するケースが多いのである。
【発明の開示】
【発明が解決しようとする課題】
【０００３】  以上に述べた従来のワゴンサービスでは、ターゲットとなる遊技客の範囲が狭いのである。【０００４】  本発明は、このような従来の課題を解決しようとするものであり、幅広い層に利用を促し、遊技場の売上向上を実現することを目的とする。
【課題を解決するための手段】
【０００５】  本発明は、上記目的を達成するために、ドリンクバーサービスにより、飲料を飲み放題で提供することで遊技客が飲料１杯の単価が安くなるものである。
【発明の効果】
【０００６】  上述したように本発明は、遊技客が飲料１杯の単価が安くなり、幅広い層の利用が見込めるだけでなく、遊技時間の延長、他店との差別化による顧客の増加に繋がり、遊技場の売上向上に繋がるものである。
【発明を実施するための最良の形態】
【０００７】  遊技場と契約後、設備（ワゴン、ジュースディスペンサー、製氷機、２槽式シンク、メニューボード）を遊技場内に設置する。【０００８】  保健所の喫茶店営業の認可を得て、営業開始する。【０００９】  遊技場内における、遊技客に対してスタッフがメニュー表を持ち遊技場内を巡回してドリンク、フードの注文をとる。【００１０】  遊技客でドリンクバーを注文した遊技客はドリンクを飲み放題とする。
スタッフは、遊技場内を巡回して注文をとった後、ブースに戻りドリンクディスペンサーシステムを使用してドリンクをコップに注ぎ、遊技客の所に持っていく。【００１１】  フードに関しては調理済みのフードを提供する。
【図面の簡単な説明】
【００１２】
【図１】  本発明の実施形態を示すフローチャート
【図２】  設備の配置例の図
【図１】
2007082994.tif 000003
【図２】
2007082994.tif 000004
(57)【要約】【課題】家庭内で家族がおのおの持っている共有使用できるカードを集め、一枚の薄板のボードに多数のポケットを設け、カードを収納し、必要時に共有カードを取り出し使用する鳩目マグネット付き生活カード入れと個人専用のカード入れを提供する。【解決手段】合成樹脂製、厚紙製、布製等のボードに数十枚のカードを挿入出来るポケットを設け、薄板のボードの上部の両サイドにマグネット付き鳩目、又は上部前面にマグネットを設けたことを特徴とする鳩目マグネット付き生活カード入れ、又は個人専用のカード入れ。【選択図】  図１
2007082995.tif 000002
【特許請求の範囲】
【請求項１】
合成樹脂製、厚紙製、布製等でＡ１〜Ａ４の大きさの薄板にカード入れのポケットを同じ材質で数十枚設けた鳩目マグネット付き生活カード入れ。
【請求項２】
薄板の上部両サイドにマグネット付きの鳩目、又は上部前面にマグネットを設けた請求項１記載の鳩目付きマグネット付き生活カード入れ。
【請求項３】
家族で使える共有カード、あるいは領収書、ハガキ等を入れる請求項１〜２記載の鳩目マグネット付き生活カード入れ。
【請求項４】
個人専用のカード、領収書、ハガキ等を入れる請求項１〜３記載の鳩目マグネット付き生活カード入れ。
【発明の詳細な説明】
【技術分野】
【０００１】  本発明は、家庭内で一枚のカードを家族全員で共有し利用する為のカード入れに関する。
【背景技術】
【０００２】  従来、カード社会の現在、日常生活の中で多数のカードを毎日の暮らしに利用し、各個人が多数持っており、カード入れ又は財布に入れて持ち歩いている。
カードは同じサイズのものばかりではなく、紙製、紙をパウチカバーしたもの、二つ折り、三つ折り、ハガキ大、ポイント、スタンプを押すカード、縦型、横型等店により多種多様です。日常利用の多いカードの種類は、銀行のカード、キャッシュカード、クレジットカード、デパート、スーパー、クリーニング、図書カード、バス券、ＪＲ券、ビデオ店、子供の教室、スポーツクラブ、病院の診察券、ペットの診察券、各商店のカード、ポイント、懸賞、応募券、領収書、名刺等まだまだ増えるばかりです。カード入れとしては、例えば、特開平１０−００５０３２号公報、特開２００１−０７８８１９号公報等が公開されている。
【発明の開示】
【発明が解決しようとする課題】
【０００３】  それには次のような問題点があった。
（イ）カードを多数持ち、あまり使用しないカードは机の引出等に保管している。
（ロ）家族で同じ店のカードを複数所有している場合が多く、各人が使用している為          ポイント等が加算されない。
（ハ）一枚のカードを家族全員で共有し使用できる保管場所がない。
（ニ）クリーニング、図書カード、バス劵、ＪＲ券、ビデオ券等は一枚で家族全員が          共有して使用できるカードが多数あるが、あまり有効に使用されていない。
（ホ）机の引出しに保管されたカードは期限切れなどで、無効になってしまい無駄が          多い。
（ヘ）一枚のカードを家族全員で使用していないためポイントがたまらずいろいろの          特典等を損している。
本発明は、以上の問題点を解決するためのものである。
【課題を解決するための手段】
【０００４】  合成樹脂製、厚紙製、布製等の薄板に各種カードが数十枚挿入できる同種の薄板を使用したカード入れのポケットを設け、上部の両サイドにマグネット付き鳩目、又は、両サイド以外の上部に板状のマグネットを設ける。
この鳩目マグネット付き生活カード入れを、家中の最も目に付く場所に取り付ける。
家族の皆さんが必要時にカードを取り出し買い物等に持っていく。カードのみではなく、領収書、名刺等も分別して入れる、又家族共有カード入れと個人カード入れにも利用できる。
【発明の効果】
【０００５】  家族で共有できるカードを整理し、カードを入れる多数のポケットを持った生活カード入れを適所に設置し、ひと目で取り出せ、家族全員で共有し、使用することで多くの利益を受けられ、ポイントも増え、いろいろのサービス、値引きの回数が多く受けられる様になる効果が期待できると同時に個人専用の個人カード入れとしても利用できる。
【発明を実施するための最良の形態】
【０００６】  以下、本発明の実施の形態を説明する。
（イ）合成樹脂製、厚紙製、布製のＡ１〜Ａ４の大きさの薄板を設ける。
（ロ）上記大きさの薄板の上部両サイドに鳩目マグネットを取り付ける。
（ハ）上記大きさの薄板にカードが数十枚挿入できる同じ材質のポケットを設ける。
（ニ）ポケットに家族で共有して使用できるカードを挿入する。
（ホ）カード以外の領収書、名刺等も挿入できる。
（ヘ）家族共有カード入れと個人専用のカード入れとしても使用できる。
本発明は、以上の構成よりなっている。
【図面の簡単な説明】
【０００７】
【図１】本発明の家族共有カード、個人専用カードの平面図
【図２】本発明の家族共有カードの右側面図
【図３】本発明の家族共有カードの上面図
【符号の説明】
【０００８】    １  樹脂製、厚紙製、布製の薄板
２  ポケット
３  鳩目マグネット
４  カード
５  マグネット
【図１】
2007082995.tif 000003
【図２】
2007082995.tif 000004
【図３】
2007082995.tif 000005
(57)【要約】【課題】哺乳瓶の底に取付ける玩具である。【解決手段】哺乳瓶を取付けることがでる授乳時用の玩具である。【選択図】図１
2007082980.tif 000002
【特許請求の範囲】
【請求項１】
哺乳瓶に取付けることが出来る玩具。
【発明の詳細な説明】
【発明の詳細な説明】
この発明は、哺乳瓶取付け用の玩具である。
授乳中の乳児は、動く物や音などに注意を取られ、スムーズにミルクを与えることが出来ない。そして母親は、ミルクの飲みの悪さに悩んでしまい、これが育児ストレスにつながっているとも言える。
本発明は、この問題を解決するものである。以下それを説明すると、
（イ）布製の玩具に哺乳瓶の直径程の穴をあけてつくる。
（ロ）音がするように中に、すずなど音のする物を入れておく。
（ハ）哺乳瓶の底部などに取付ける。
これを使用して授乳をすると片手で玩具と哺乳瓶を持つことが出来る。乳児は哺乳瓶の先の玩具に注意がいき、よそ見をすることなくスムーズに授乳をするとこが出来る。また、授乳時以外は普通の玩具として使用できる。そして、乳児は赤や黄色なとのはっきりとした色に強く興味をしめすので、黄色いひよこをモチーフにした。形はひよこでなくても、かわいい形であればよい。また、布製なくても安全な素材であればよい。
【図面の簡単な説明】
【図１】本発明の斜視図である。
【図２】本発明使用中の斜視図である。
【符号の説明】
（１）布製の玩具
（２）すず
（３）哺乳瓶
【図１】
2007082980.tif 000003
【図２】
2007082980.tif 000004
(57)【要約】【課題】従来、足の裏や足の指は、靴等により通風性の悪い状態に長時間あるため細菌が繁殖しやすく、水虫やヘルペスなどの皮膚疾患に罹る人も多いにも関わらず、不特定多数がスリッパを履く公共の場所や病院は病院での院内感染の危険性がありながら放置しスリッパの使い回しをしている状態が多くみられたため、不衛生で印象も悪かった。【解決手段】本発明は、スリッパの内側にすっぽりと入るスリッパ型の使い捨て中敷きシートを使用する事により、足のどの部分もスリッパに直接触れる事がなく、紙製で使い捨てのため取り替える事により、使い捨てなので常にスリッパ内を清潔な状態に保てる様にした。【選択図】  図  ３
2007082973.tif 000002
【特許請求の範囲】
【請求項１】
スリッパの内側にすっぽり入るスリッパ型の使い捨て中敷きシート。
【発明の詳細な説明】
【発明の詳細な説明】
【技術分野】
【０００１】この発明は、スリッパの内側に入れる使い捨て中敷きシートに関するものである。
【発明が解決しようとする課題】
【０００２】従来の病院等で履くスリッパは誰が履いたかもわからず不衛生であった。殺菌灯付スリッパケースも商品化されているが、高価で殺菌灯の光が届かない所は効果がなく、また見た目が変わらないので本当に殺菌効果があるのか一般の人々はわからない状態になっていた。
【課題を解決するための手段】
【０００３】本発明は、スリッパの内側にすっぽりと入るスリッパ型をしているため足のどの部分もスリッパに直接触れる事がないのが特徴である。
また、紙製で使い捨てのため取り替える事により、常に第三者の触れたスリッパの内側が他の誰かの足と接触する事がない様にした。
【発明の効果】
【０００４】足の裏や足の指は、靴等により通風性の悪い状態に長時間あるため、細菌が繁殖しやすく、水虫やヘルペスなどの皮膚疾患に罹る人も多い。
不特定多数がスリッパを履く公共の場所や病院は病院での院内感染の危険性がありながら放置しスリッパの使い回しをしている状態が多くみられた。
しかし本発明を使用することによりスリッパ内部に直接触れない為、水虫やヘルペス等の足に於ける皮膚疾患の感染を大幅に削減できるようにした。
【図面の簡単な説明】
【図１】本発明の正面図である。
【図２】本発明の側面図である。
【図３】本発明の上面図である。
【符号の説明】
１  中敷きシートの本体
２  通風口
【図１】
2007082973.tif 000003
【図２】
2007082973.tif 000004
【図３】
2007082973.tif 000005
(57)【要約】【課題】飲み物を飲む際、自然に空気が取り込める為、熱い飲み物を冷まし、なおかつ飲み易く、味をまろやかにする事が出来る構造のカップを提供する。【解決手段】カップの飲み口（１）に（２）のリング状の突起を外周上に設ける事により、飲み物を飲む際、下唇が二重のリングの上に当たる為、リングの隙間の左右から自然に空気を取り込む事が可能となり、飲み物が飲み易く熱い飲み物を冷まし、なおかつ味がまろやかになる。【選択図】図１
2007082979.tif 000002
【特許請求の範囲】
【請求項１】
飲み口に二重のリング状の突起を設ける事により、飲み物を飲む際、自然に空気を取り込める構造のカップ。
【発明の詳細な説明】
【技術分野】
【０００１】この考案は、飲み物を飲む際、自然に空気を取り込める構造のカップに関するものである。
【背景技術】
【０００２】従来カップの飲み口は、のっぺりとスムーズで、飲み物が直接口の中に流れ込む構造であった。
【発明の開示】
【発明が解決しようとする課題】従来の技術では、以下の問題点があった。【０００３】飲み物を飲む際、空気を一緒に取り込む事が難しく、スープ・コーヒーなど熱い飲み物を飲む際には、唇や舌に飲み物が直接触る為、冷まさなければ飲めなかった。【０００４】飲み物を飲む際、空気を一緒に取り込みずらい為、飲みにくく、味も単一的であった。
【課題を解決する為の手段】
これを、図面について説明すれば、
【０００５】飲み口（１）の外周にリング状の突起（２）を二重に、カップの一体構造として設け、飲み物を飲む際、二重のリング状の突起の上に下唇が当たり、リングとリングの隙間の左右から自然に空気を取り込める様にした。
【発明の効果】
したがって、この考案には下記の効果がある。
【０００６】飲み物を飲む際、下唇に当たった二重のリング状の突起の隙間左右から自然に空気を取り込める為、飲み物と空気が混ざり合い、熱い飲み物を自然に冷ましながら飲む事が出来る。
【０００７】リング状の突起の隙間から空気が取り込める為、従来の製品に比べ、飲み物が非常に飲みやすくなる。
【０００８】飲み物は空気を含むと対流が起こり、味がまろやかになるが、このカップで飲み物を飲む事で、自然にその効果を得られ、熱い飲み物でも、冷たい飲み物でも、空気を含ませる事により、味が大変まろやかになる。
【０００９】飲む物を飲む際、二重のリング状の突起が唇に当たり引っかかる為、幼児や老人にも使いやすい。
【発明を実施する為の最良の形態】
以下、本件の実施の形態について説明する。
【００１０】飲み口（１）に二重のリング状の突起（２）を３．０ｍｍ間隔で設け、各リングの突起は、カップ本体から３．０ｍｍ、上下幅は、２．０ｍｍの一体構造とする事により、このリングとリングの隙間の左右から空気を自然に口の中に取り込む事が出来る。
【実施例】
【００１１】一般的に使用されている紙コップは、飲み口の外周にリング状の突起があるが、この紙コップを２つ重ね合わせて使用すると、外周のリング状の突起が二重となり、その二重となったリング状の突起の間から空気が取り込まれる。
その構造を、陶器、プラスチック、紙、ガラス製等のカップに応用するものである。
【図面の簡単な説明】
【００１２】
【図１】（１）飲み口  （２）飲み口リング
【図１】
2007082979.tif 000003
(57)【要約】【課題】地震等の震動による家具の転倒を防止することのできる器具を提供すること。【解決手段】上箱と下箱からなるダンボール箱の上箱の裏面の端に、高さ調整用の補助材を付け、ダンボール箱の上面と下面をそれぞれ天井および家具の天板に密着するように、ダンボール箱の高さを調整する。このダンボール箱を家具と天井の間に隙間なく挟み込むことで、家具を固定する。【選択図】  図２
2007082976.tif 000002
【特許請求の範囲】
【請求項１】
下箱と上箱からなる一組のダンボール箱の上箱の裏面に、ダンボール箱の高さ調整用の部材をとりつけた家具転倒防止器具。
【発明の詳細な説明】
【技術分野】
【０００１】  この発明は、家具の天板と天井の間の空間に、高さ調整可能なダンボール箱を隙間なく挟み込むことによって家具を固定し、地震等の震動による家具等の転倒を防止することのできる器具である。
【背景技術】
【０００２】  従来、ねじやワイヤー等を用いて家具を固定する家具転倒防止器具があった。
【発明の開示】
【発明が解決しようとする課題】
【０００３】  これらには、次のような欠点があった。
（イ）家具を固定するために、壁や天井などに傷をつけてしまうことがあった。
（ロ）器具が複雑で、家具を固定するための調整が容易ではなかった。
（ハ）器具や装置が外側からみえてしまい、美観を損ねることがあった。
（ニ）家具の天板と天井の間に使われない空間が生じることがあった。
（ホ）特別な器具をつけるため、家具固定用器具としてしか使えないことがあった。
【課題を解決するための手段】
【０００４】  本発明は、これらの欠点を除くためになされたもので、これを、図面をもって説明する。上箱（１）と下箱（２）からなるダンボール箱の上箱（１）の裏面の端に、ダンボール箱の高さを調整するための補助材（３）を接着剤などで貼り付ける。そして、上箱（１）を下箱（２）にかぶせて一組のダンボール箱とする。本発明は、以上のような構成よりなる家具転倒防止器具である。
【発明の効果】
【０００５】  下箱（２）の上端が接する、上箱（１）の裏面の端に補助材（３）を貼り付けることにより、ダンボール箱の高さを調整することができるので、ダンボール箱を家具と天井の間の空間に隙間なく挟み込むことができる。従って、ダンボール箱の上面と下面はそれぞれ天井面と家具の天板に面的に密着するので、家具は固定され、地震動などの震動があっても動かず、転倒しない。
このような構成なので、設置のときに家具や天井等を傷つけることはない。また、補助材（３）は外側からは見えず美観を損なわないし、ダンボール箱に着色をすれば家具や天井の色具合と合わせることもできる。さらに、ダンボール箱の中には軽いものを収納することもできるので、家具と天井の間の空間を有効に利用することができる。また、このダンボール箱は、高さの調整が可能な収納箱として、押入や整理棚の中でも使用することができる。
【発明を実施するための最良の形態】
【０００６】  ダンボール箱の高さが家具の天板から天井までの高さよりわずかに大きくなるように、上箱（１）の裏面の端に補助材（３）を接着剤などで貼り付ける。補助材（３）としては、ダンボール紙を用いることができる。その高さ調整は、例えば、ダンボール紙を必要な枚数だけ重ねて貼り付けることにより行うことができる。そして、補助材（３）を付けた上箱（１）を下箱（２）にかぶせる。ダンボール箱の高さは家具の天板から天井の高さよりわずかに大きいが、ダンボールのもつ弾性を利用することで、ダンボール箱を家具と天井の間に隙間なく挟み込み、家具を固定する。
【図面の簡単な説明】
【０００７】
【図１】  本発明の斜視図である。
【図２】  本発明の一部を切り欠いた斜視図である。
【図３】  本発明の一部を切り欠いた側面図である。
【図４】  本発明の上箱の裏面図である。
【符号の説明】
【０００８】  １  上箱        ２  下箱        ３  補助材
【図１】
2007082976.tif 000003
【図２】
2007082976.tif 000004
【図３】
2007082976.tif 000005
【図４】
2007082976.tif 000006